(57)【特許請求の範囲】
【請求項１】
ベッドフレームと、
のベッドフレーム上に設けられるとともに幅方向の少なくとも一側の長手方向中途部に幅方向内方に凹んで形成された凹部を有する床板と、
この床板上に載置されるマットレスと、
上記ベッドフレームの両側に設けられるとともに一方が上記凹部の側方を塞ぐことがない状態で設けられた一対の側柵と、
両端が上記側柵に支持されて架設されるとともに一端側と他端側の上記ベッドフレームの長手方向における位置がずれるよう曲成されたテーブル板と
を具備したことを特徴とするベッド装置。
【請求項２】
上記テーブル板は、幅方向両端部が上記側柵の上端に係合載置されるとともに、幅方向の少なくとも一端部には上記テーブル板と上記側柵との係合状態を保持する保持手段が設けられていることを特徴とする請求項１記載のベッド装置。
【請求項３】
上保持手段は、上記テーブル板に形成された通孔に挿通される軸体と、この軸体の上端に形成された円盤状の操作ノブと、上記軸体の外周面に形成され上記軸体を上記操作ノブによって回転させることで上記側柵の上端に係脱する凹部と
を備えていることを特徴とする請求項２記載のベッド装置。
【請求項４】
ベッド装置の両側に立設される一対の側柵の上端に幅方向両端部を係合させて設けられるベッド装置用テーブル板において、
幅方向一端側と他端側との位置が幅方向と交差する方向に対してずれるよう曲成されていることを特徴とするベッド装置用テーブル板。
【発明の詳細な説明】
【０００１】
【発明の属する技術分野】
この発明は自力で身体を動かすことが不自由な病人や老人などを長期にわたって就寝させるのに適したベッド装置及びベッド装置用テーブル板に関する。
【０００２】
【従来の技術】
たとえば、病院などに老人や病人などの自力で身体を自由に動かすことができない利用者が入院した場合には病院用のベッド装置が用いられる。この種のベッド装置には種々のタイプがあるが、その１つとして起床式のベッド装置が知られている。
【０００３】
起床式のベッド装置は、周知のようにベッドフレ−ムを有し、このベッドフレ−ム上に複数の床部に分割された床板が設けられている。複数の床部のうちの１つは上記フレ−ムに固定され、利用者の上半身に対応する床部は駆動機構によって起伏駆動されるようになっている。
【０００４】
したがって、利用者は自力で上半身を起こすことができなくとも、上記駆動機構によって床部を起上させることで、上半身を起こすことができるから、食事や読書などをするときに便利である。
【０００５】
ベッド装置上で上半身を起こして食事や読書などをする場合、ベッド用のテーブル板が利用される。このテーブル板は、通常、上記ベッド装置の幅方向両側に立設される側柵の上端に幅方向両端部を係合させて架設されるようになっている。
【０００６】
ところで、ベッド装置上に横たわった利用者は定期的に診察を受けたり、排泄のための介護をしてもらわなければならないことがある。診察や介護を受ける際、利用者が自力で身体を動かすことが不自由な場合には、診察者や介護者が利用者の身体を部分的に持ち上げたり、寝返りを打たせるなどのことを行わなければならない。
【０００７】
利用者の身体を部分的に持ち上げたり、寝返りを打たせるなどの作業を行う場合、診察者や介護者は、身体をできるだけ利用者に接近させた方がその作業がし易く、たとえば身体を利用者から離した状態でそのような作業を行うと、力が入りにくいため、作業がしにくいということがあったり、作業者の腰に大きな負担が掛るため、腰を痛めるなどのことがある。
【０００８】
利用者を介護する場合、診察者や介護者は身体を利用者にできるだけ近付けて作業した方がよい。しかしながら、ベッド装置の床板は所定の幅寸法を有するから、利用者がその床板の幅方向中央部分や幅方向一端部側に仰臥しているような場合には、診察者や介護者は上記床板の幅方向他端側から身体を利用者に十分に近付けることができない状態で作業をしなければならないことがある。そのため、その作業がしにくかったり、腰を痛めるなどのことがあった。
【０００９】
そこで、上記ベッドフレームと床板との幅方向の少なくとも一側の長手方向中途部に、幅方向内方へ凹んだ凹部を形成し、診察者や介護者が利用者に近づくことができるようにしたベッド装置が考えられている。
【００１０】
しかしながら、そのようなベッド装置において、テーブル板を設けるためにベッド装置の側部に側柵を立設する場合、側柵は上記凹部を塞ぐことのない状態で設けなければならない。そのため、上記テーブル板を、ベッド装置上で上半身を起こした利用者に近づけて設けることができなくなるから、利用者は上記テーブル板を利用しにくいということがあった。
【００１１】
【発明が解決しようとする課題】
このように、床板上に仰臥した利用者を診察したり、介護するなどの作業を利用者に近づいてし易くするため、上記床板の側部に凹部を形成すると、その凹部を避ける状態で側柵を立設しなければならない。
【００１２】
そのため、側柵の上端に幅方向両端部を支持して架設されるテーブル板を、ベッド装置上で上半身を起こした利用者に十分に近づけることができなくなるから、利用者がテーブル板を利用し難くなるということが生じる。
【００１３】
この発明は、側部に凹部が形成されたベッド装置の側柵にテーブル板を架設する場合、そのテーブル板を上半身を起こした利用者に近づけることができるようにしたベッド装置及びベッド装置用テーブル板を提供することにある。
【００１４】
【課題を解決するための手段】
請求項１の発明は、ベッドフレームと、
このベッドフレーム上に設けられるとともに幅方向の少なくとも一側の長手方向中途部に幅方向内方に凹んで形成された凹部を有する床板と、
この床板上に載置されるマットレスと、
上記ベッドフレームの両側に設けられるとともに一方が上記凹部の側方を塞ぐことがない状態で設けられた一対の側柵と、
両端が上記側柵に支持されて架設されるとともに一端側と他端側の上記ベッドフレームの長手方向における位置がずれるよう曲成されたテーブル板と
を具備したことを特徴とするベッド装置にある。
【００１５】
請求項２の発明は、請求項１の発明において、上記テーブル板は、幅方向両端部が上記側柵の上端に係合載置されるとともに、幅方向の少なくとも一端部には上記テーブル板と上記側柵との係合状態を保持する保持手段が設けられていることを特徴とする。
【００１６】
請求項３の発明は、請求項２の発明において、上保持手段は、上記テーブル板に形成された通孔に挿通される軸体と、この軸体の上端に形成された円盤状の操作ノブと、上記軸体の外周面に形成され上記軸体を上記操作ノブによって回転させることで上記側柵の上端に係脱する凹部と
を備えていることを特徴とする。
【００１７】
請求項４の発明は、ベッド装置の両側に立設される一対の側柵の上端に幅方向両端部を係合させて設けられるベッド装置用テーブル板において、
幅方向一端側と他端側との位置が幅方向と交差する方向に対してずれるよう曲成されていることを特徴とする。
【００１８】
請求項１と請求項４の発明によれば、幅方向両端が上記側柵に支持されて架設されるテーブル板を、その幅方向一端側と他端側との上記ベッドフレームの長手方向における位置がずれるよう曲成したことで、その分、テーブル板をベッド装置上で上半身を起こした利用者に近づける事ができる。
【００１９】
請求項２の発明によれば、テーブル板を側柵に保持できるようにしたことで、テーブル板の利用者に近い端部の上面に荷重が加わっても、そのテーブル板が下方へ回転するのを防止できる。
請求項３の発明によれば、テーブル板と側柵との係合及び解除を操作ノブによって軸体を回転させるという簡単な操作で迅速に行うことができる。
【００２０】
【発明の実施形態】
以下、この発明の一実施の形態を図面を参照して説明する。
図１と図２に示すベッド装置は下面四隅部にキャスタ２が設けられたベ−スフレ−ム１を備えている。このベ−スフレ−ム１の四隅部には取付部３が設けられ、各取付部３には上下駆動ア−ム４の一端が回動自在に連結されている。各上下駆動ア−ム４の他端はベッドフレ−ム５に連結されている。
【００２１】
つまり、ベッドフレ−ム５の両側の長手方向両端部にはそれぞれブラケット６が垂設されている。ベッドフレ−ム５の幅方向において対応する各一対のブラケット６には横軸７が回転自在に架設されている。各横軸７には上記上下駆動ア−ム４の他端が固着されている。
【００２２】
上記一対の横軸７は図示しない上下駆動機構によって回転駆動されるようになっている。横軸７が回転駆動されれば、上記上下駆動ア−ム４が起伏駆動される。それによって、上記ア−ム４の他端に連結されたベッドフレ−ム５が上下駆動されるようになっている。
【００２３】
上記ベッドフレ−ム５は、その長手方向に沿う一対の長尺杆８と幅方向に沿う一対の短尺杆（図示せず）との端部を連結部材１１によって連結した矩形枠状をなしている。長手方向一端側に位置する一対の連結部材１１にはヘッドボ−ド枠１２が取り付けられ、他端側に位置する一対の連結部材１１にはフットボ−ド枠１３が取り付けられている。
【００２４】
上記ベッドフレ−ム５の上面には床板２１が設けられている。この床板２１はベッドフレ−ム５の長手方向に沿って分割された３つの第１乃至第３の床板部２２２〜２４からなる。
【００２５】
これらの床板部２２〜２４は図示しない連結軸によって互いに回動自在に連結されているとともに、中央に位置する第２の床板部２３は合成樹脂によって３つの床部２３ａ〜２３ｃが一体成形されてなる。
【００２６】
これら３つの床部２３ａ〜２３ｃは薄肉ヒンジ２５によって折り曲げ可能に連結されていて、中央に位置する床部２３ｂが上記ベッドフレームに固定されている。
【００２７】
上記床板２１の幅方向両側の長手方向中央部、つまり第２の床板部２３の幅方向両端部には平面形状が台形状の凹部２６が形成されている。各凹部２６には支持体２７が図２に矢印で示す方向にスライド自在に設けられている。すなわち、支持体２７は図示しないばねによって上記凹部２６に突出する方向に付勢されていて、その付勢力に抗して凹部２６の内方へ没入する方向へ変位させることができるようになっている。
【００２８】
なお、上記ベッドフレ−ム５の一対の長尺杆８の間隔は上記第２の床板部２３の凹部２６が形成された部分の幅寸法とほぼ同じ幅寸法に設定されている。それによって、上記長尺杆８は上記凹部２６に突出することがないようになっている。
【００２９】
図１に示すように、上記ベッドフレ−ム５の下面側には背上げ駆動機構３１が設けられている。この背上げ駆動機構３１は一側面に駆動源３２が設けられたボックス３３を有する。このボックス３３の一端側と他端側とにはそれぞれ軸線をベッドフレ−ム５の幅方向に沿わせた図示しない第１の駆動軸と第２の駆動軸とが設けられている。
【００３０】
ヘッドボ−ド枠１２側に位置する第１の駆動軸には第１のア−ム３４の一端が固着されている。この第１のアーム３４の他端部には一対の第１のロ−ラ３５が所定間隔で回転自在に設けられている。このロ−ラ３５は上記第１の床板部２２の下面に当接している。
【００３１】
上記第２の駆動軸には図示しない第２のア−ムの一端が連結されている。この第２のア−ムの他端には同じく図示しない第２のロ−ラが回転自在に設けられている。この第２のロ−ラは上記第３の床板部２４の下面に当接している。
【００３２】
上記第１の駆動軸と第２の駆動軸は上記駆動源３２によって回転駆動されるようになっている。第１の駆動軸が回転駆動されて第１のア−ム３４が起上方向に回動すると、図１に鎖線で示すように第１の床板部２２と第２の床板部２３の一端側の床部２３ａとが起上方向に駆動される。
【００３３】
第２の駆動軸が回転駆動されて第２のア−ムが起上方向に回動すると、第３の床板部２４と第２の床板部２３の他端側の床部２３ｃとが起上方向に駆動される。
【００３４】
上記床板２１上にはマットレス４１が載置される。このマットレス４１両側の長手方向中途部の、上記床板２１に形成された凹部２６と対応する部分には、押圧することで幅方向内方へ弾性変形可能な変形部４１ａに形成されている。上記変形部４１ａはその部分が他の部分よりも柔らかな弾性材料で形成されている。それによって、介護者などは自分の太腿の部分で上記変形部４１ａを押圧して変形させれば、その変形によって支持体２７が凹部２６の内方へ弾性的に変位するから、凹部２６内へ入り込み、マットレス４１上の利用者に身体を近づけることができる。
【００３５】
なお、マットレス４１は全体を比較的弾性変形させ易い材料で形成すれば、凹部２６に対応する部分に、他の部分と異なる材料を用いなくてすむ。
上記ベッドフレーム５の幅方向両側のヘッドボード１２側とフットボード１３側には、それぞれ支持孔４２ａが形成された２つで対をなす２組の支持部材４２が設けられている。
【００３６】
ベッドフレーム５の両側にはそれぞれ第１の側柵４３と第２の側柵４４とが着脱自在に支持されている。各側柵４３，４４は、パイプ材によって形成された矩形状の枠部４３ａ，４４ａに一対の支持脚４３ｂ，４４ｂが上記支持部材４２と同じ間隔で設けられてなり、これら支持脚４３ｂ，４４ｂを上記支持孔４２ａに挿入することで、ベッドフレーム５の側方に着脱自在に立設されている。
【００３７】
上記ベッドフレーム５の幅方向一側に位置する第１の側柵４３の枠部４３ａは他側に設けられた側柵４４の枠部４４ａよりも長さ寸法が短く形成されている。
それによって、一対の側柵４３、４４をフットボード枠１３側の一対の支持部材４２によって支持した場合、第２の側柵４４はベッドフレーム５の側部に形成された凹部２６を覆う位置まで延出するが、第１の側柵４３は凹部２６をほとんど覆うことのない状態で設けることができるようになっている。
【００３８】
一対の側柵４３、４４の上端間にはテーブル板４５が着脱可能に架設される。このテーブル板４５は、幅方向一端部側４５ａと他端部側４５ｂとがベッドフレーム５の長手方向に対して前後方向に位置がずれるよう板材を曲成した本体部４６と、本体部４６の幅方向両端に取り付けられた支持具４７とから形成されている。
【００３９】
上記支持具４７は、図４に示すように幅方向一端側に上記本体部４６の端部に嵌合してねじ４８によって上記本体部４６に固定される取付部４９が形成され、幅方向他端部には下面に開放し上記側柵４３，４４の上端に係合する係合溝５１が幅方向と交差する方向全長にわたって形成されている。
【００４０】
上記支持具４７の係合溝５１と対応する部分には通孔５２が穿設されている。この通孔５２には軸体５４がブッシュ５５を介して回転自在に挿通支持されている。この軸体５４には上端に円盤状の操作ノブ５６が形成され、上記係合溝５１に突出した軸体５４には一部が円弧状に切欠された切欠部５７が形成されている。さらに、軸体５４の外周面には上記切欠部５７を除く部分に断面円弧状の凹部５８が形成されている。
【００４１】
上記軸体５４は支持具４７の通孔５２に挿通された状態で回転させることで、上記側柵４３，４４の上端部に対してその凹部５８を係脱させることができる。つまり、図４に示すように、側柵４３，４４の上端部のパイプ材が凹部５８に係合した状態から上記上端部に切欠部５７が対向するまで上記軸体５４を回転させれば、その上端部が凹部５８から外れるから、上記上端部と凹部５８との係合状態を解除することができる。それによって、上記テーブル板４５を一対の側柵４３，４４から取り外すことができるようになっている。
【００４２】
上記構成のベッド装置においては、図２に示すように、長さ寸法の長い第２の側柵４４をベッドフレーム５の幅方向一側に設け、第１の側柵４３を他側に設ける。それによって、ベッドフレーム５の幅方向他側の凹部２６は第１の側柵４３によって塞がれることがないから、その凹部２６を利用して介護者などはマットレス４１を弾性変形させながらベッドフレーム５の幅方向内方へ入り込み、マットレス４１上に仰臥した患者などの利用者に身体を近づけて介護することができる。
【００４３】
一方、テーブル板４５は、同じく図２に示すようにその一端部側４５ａが他端部側４５ｂよりもヘッドボード体１２側に位置するよう、上記一対の側柵４３，４４の上端部の一端側に幅方向両端部を係合させて架設し、軸体５４によって保持する。
【００４４】
このような状態で、利用者Ｕが背上げ駆動機構３１を作動させて図１に示すように上半身を起こして上記テーブル板４５を利用する場合、ベッドフレーム５の幅方向他方の凹部２６を利用できるよう、第１の側柵４３を短くしたことで、第１の側柵４３が第２の側柵４４よりも上半身を起こした利用者Ｕから見て後方に位置する。
【００４５】
しかしながら、テーブル板４５は一対の側柵４３，４４の配置状態に応じて幅方向一端部側４５ａ側と他端部４５ｂとが前後方向に位置がずれるよう曲成されているから、その幅方向一端部側４５ａを利用者Ｕに十分に近づけることができる。したがって、利用者Ｕは食事や読書などをする場合に、上記テーブル板４５を確実に利用することができる。
【００４６】
上記テーブル板４５が曲成されていることで、利用者Ｕがその幅方向一端部側４５ａの手前側に手をつくなどして荷重をかけると、モーメントが発生してテーブル板４５が回転する虞がある。しかしながら、上記テーブル板４５の両端部はそれぞれ２個所が軸体５４によって一対の側柵４３，４４の上端部に係合保持されているから、回転してその上面に載せられた食器などを落とすことがないばかりか、テーブル板４５が回転して利用者Ｕが身体のバランスを崩すようなこともない。
【００４７】
上記軸体５４は回転させるだけで、上記側柵４３，４４と係脱させることができる。そのため、側柵４３，４４に対する上記テーブル板４５の着脱を容易に、しかも迅速に行うことが可能となる。
【００４８】
なお、上記実施の形態では４つの軸体５４によってテーブル板４５を一対の側柵４３，４４に連結保持するようにしたが、テーブル板４５の他端部側４５ｂの１箇所だけを軸体５４によって連結保持する構成としてもよい。
【００４９】
図６はこの発明の変形例を示すベッド装置の平面図である。すなわち、上記一実施の形態ではベッドフレーム５だけに凹部２６を形成したが、この実施の形態では、マットレス４１の両側にも、ベッドフレーム５の凹部２６に対応する部分に、ほぼ同じ形状の凹部４１ａを形成するようにした。
【００５０】
それによって、マットレス４１を弾性変形させる場合に比べ、介護者等は、上記凹部２６、４１ａ内へ大腿部を入れ易くなるから、身体を利用者Ｕに近づけ易くなる。また、テーブル板４５はその他端部側４５ｂの端部の１箇所だけを軸体５４によって第１の側柵４３に係脱できる構成となっている。
【００５１】
【発明の効果】
請求項１と請求項４の発明によれば、両端が上記側柵に支持されて架設されるテーブル板を、その幅方向一端側と他端側との上記ベッドフレームの長手方向における位置がずれるよう曲成した。
【００５２】
そのため、側柵によってテーブル板の支持状態が制限を受けても、テーブル板が曲成されているため、その分、ベッド装置上で上半身を起こした利用者に近づけることができるから、利用者は上記テーブル板を利用し易い。
【００５３】
請求項２の発明によれば、テーブル板を側柵に保持できるようにしたことで、テーブル板の利用者に近い端部の上面に荷重が加わっても、そのテーブル板が下方へ回転するのを防止できる。
請求項３の発明によれば、テーブル板と側柵との係合及び解除を操作ノブによって軸体を回転させるという簡単な操作で迅速に行うことができる。
【図面の簡単な説明】
【図１】この発明の一実施の形態のベッド装置を示す側面図。
【図２】同じく平面図。
【図３】同じく正面図。
【図４】同じくテーブル板の端部の拡大断面図。
【図５】同じく図４のＶ−Ｖ線に沿う軸体の断面図。
【図６】この発明の他の実施の形態を示すベッド装置の平面図。
【符号の説明】
５…ベッドフレーム
２１…床板
２６…凹部
４１…マットレス
４３，４４…側柵
４５…テーブル板
【図１】
0003575995.tif 000002
【図２】
0003575995.tif 000003
【図３】
0003575995.tif 000004
【図４】
0003575995.tif 000005
【図５】
0003575995.tif 000006
【図６】
0003575995.tif 000007